(57)【要約】【課題】入口料金所を通過したことを示す入口通過情報を記憶するメモリ等の記憶部を設けなくても、高速道路においてＥＴＣ用のＩＣカード挿入忘れを警告できるＥＴＣ用カード挿入忘れ警報装置を提供すること。【解決手段】ＥＴＣ用カード挿入忘れ警報装置は、アクセサリがＯＮさせられた後にＩＣカードリーダー８がＩＣカードを検出していないときに、車速センサ１１からの車速信号が８０ｋｍ／ｈ以上であるか否かを判断して、８０ｋｍ／ｈ以上の状態が所定時間継続した後にも前記ＩＣカードリーダー８が前記ＩＣカードを検出していない場合、前記警報装置（スピーカ６又は表示器７）によりＩＣカード挿入忘れの警報を行わせる制御部１を有する。【選択図】  図１
2005085096.tif 000002
【特許請求の範囲】
【請求項１】
車両に搭載されたＥＴＣステム用のＩＣカードリーダーと、
前記車両に搭載されて前記ＩＣカードリーダーで読み込まれたＩＣカードのデータに基づいて料金所端末との間で料金自動収受のための通信を行う通信装置と、
アクセサリがＯＮさせられたとき前記車両の走行速度を検出して車速信号を出力する車速センサと、
前記ＩＣカードリーダーへの前記ＩＣカード挿入忘れの警報を出力する警報装置と、
前記アクセサリがＯＮさせられた後に前記ＩＣカードリーダーが前記ＩＣカードを検出していないときに、前記車速センサからの車速信号が所定車速以上であるか否かを判断して、所定車速以上の状態が所定時間継続した後にも前記ＩＣカードリーダーが前記ＩＣカードを検出していない場合、前記警報装置によりＩＣカード挿入忘れの警報を行わせる制御部を有することを特徴とするＥＴＣ用カード挿入忘れ警報装置。
【請求項２】
前記所定車速は約８０ｋｍ／ｈであることを特徴とする請求項１に記載のＥＴＣ用カード挿入忘れ警報装置。
【発明の詳細な説明】
【技術分野】
【０００１】
この発明は、車両に搭載されたＥＴＣステム用のＩＣカードリーダーへのＩＣカード挿入忘れを警報するＥＴＣ用カード挿入忘れ警報装置に関するものである。
【背景技術】
【０００２】
この種のカード挿入忘れ警報装置としては、入口料金所を通過したことを示す入口通過情報を記憶部に記憶し、サービスエリア等で駐車のためにエンジンキーをオフした時に制御部が記憶部の入口通過情報をチェックし、入口通過情報がある場合にはＩＣカードの抜き忘れを警告するとともに、再び乗車する際にはＩＣカードの挿着を忘れないように警告することにより、ＩＣカードの盗難および出口料金所における通過を容易にすることができるようにしたものが知られている（例えば、特許文献１参照）。
【０００３】
このカード挿入忘れ警報装置では、車両のアクセサリ電源及び＋Ｂ電源が入力されると、電源制御部は車載器全体の電力を制御するようになってる。しかも、電源制御部は、車両のエンジンキーがアクセサリ位置からオフ位置に回された場合、アクセサリ電源から＋Ｂ電源に切り替え、所定時間後にスリープモードに移行するようになっている。しかも、電源制御部は、車両のエンジンキーがアクセサリ位置からオフ位置に回されてから所定時間内にオフ位置からアクセサリ位置に回されない場合には、＋Ｂ電源を切断するようになっている。
【特許文献１】特開２００３−０９９８３１号公報
【発明の開示】
【発明が解決しようとする課題】
【０００４】
上述したように、従来のカード挿入忘れ警報装置では、入口料金所を通過したことを示す入口通過情報を記憶部に記憶しておいて、サービスエリア等で駐車のためにエンジンキーをオフしたとき及び再び乗車したときにメモリ等の記憶部に記憶しておいた入口通過情報を利用するようにしている。
【０００５】
このため、上述した電源制御部は、車両のエンジンキーがアクセサリ位置からオフ位置に回された後、記憶部に記憶した内容を保持するために、暗電流を記憶部の回路に流しておく必要がある。
【０００６】
しかし、この暗電流はバッテリの電力を消費するため、バッテリに負荷がかかるものであった。
【０００７】
そこで、この発明は、入口料金所を通過したことを示す入口通過情報を記憶するメモリ等の記憶部を設けなくても、高速道路においてＥＴＣ用のＩＣカード挿入忘れを警告できるＥＴＣ用カード挿入忘れ警報装置を提供することを目的とするものである。
【課題を解決するための手段】
【０００８】
この目的を達成するため、この発明は、車両に搭載されたＥＴＣステム用のＩＣカードリーダーと、前記車両に搭載されて前記ＩＣカードリーダーで読み込まれたＩＣカードのデータに基づいて料金所端末との間で料金自動収受のための通信を行う通信装置と、アクセサリがＯＮさせられたとき前記車両の走行速度を検出して車速信号を出力する車速センサと、前記ＩＣカードリーダーへの前記ＩＣカード挿入忘れの警報を出力する警報装置と、前記アクセサリがＯＮさせられた後に前記ＩＣカードリーダーが前記ＩＣカードを検出していないときに、前記車速センサからの車速信号が所定車速以上であるか否かを判断して、所定車速以上の状態が所定時間継続した後にも前記ＩＣカードリーダーが前記ＩＣカードを検出していない場合、前記警報装置によりＩＣカード挿入忘れの警報を行わせる制御部を有するＥＴＣ用カード挿入忘れ警報装置としたことを特徴とする。
【発明の効果】
【０００９】
この構成によれば制御部は、前記アクセサリがＯＮさせられた後に前記ＩＣカードリーダーが前記ＩＣカードを検出していないときに、前記車速センサからの車速信号が所定車速以上であるか否かを判断する。
【００１０】
そして、制御部は、所定車速以上の状態が所定時間継続した後にも前記ＩＣカードリーダーが前記ＩＣカードを検出していない場合、前記警報装置によりＩＣカード挿入忘れの警報を行わせる。
【００１１】
従って、入口料金所を通過したことを示す入口通過情報を記憶するメモリ等の記憶部を設けなくても、サービスエリア等で駐車のためにエンジンキーをオフすると共に、ＥＴＣ用のＩＣカードをＩＣカードリーダから抜いた後に、再び乗車したときにＥＴＣ用のＩＣカードをＩＣカードリーダに挿入し忘れても、高速道路において出口に達する前にＥＴＣ用のＩＣカード挿入忘れを警告できる。このように高速道路上でのＩＣカード挿入忘れの警報を行うことで、高速道路の出口料金所での通過を容易にすることができる。
【００１２】
また、入口料金所を通過したことを示す入口通過情報を記憶するメモリ等の記憶部を設けなくても、高速道路においてＥＴＣ用のＩＣカード挿入忘れを警告できるので、バッテリに負荷がかかるような記憶部が必要がない。
【発明を実施するための最良の形態】
【００１３】
次に、この発明を実施するための最良の形態を図面に基づいて説明する。
【００１４】
図１において、１は車両に搭載されたＥＣＣアンプ等の制御部（演算制御回路）、２は制御部１に接続されたＲＯＭ等の記憶部である。この記憶部２には、制御部１の制御プログラム等が記憶されている。
【００１５】
また、車両の図示しないキースイッチのＡＣＣ（アクセサリ）スイッチ３は、図示しないエンジンキーの操作によりオン・オフ操作されて、ＡＣＣ電源４をオン・オフするようになっている。そして、このＡＣＣスイッチ３がオンさせられると、ＡＣＣ電源４は制御部１に電力を供給するようになっている。
【００１６】
そして、制御部１は、この電力が供給されると、記憶部２に記憶されている制御プログラムを読み込んで、この制御プログラムに基づいて車両各部の電子機器の制御動作を開始するようになっている。
【００１７】
また、図１において、５はＨＭＩ（ヒューマン・マシン・インターフェイス）部、６はＨＭＩ部５を介して制御部１に接続されたスピーカ（警報装置）、７はＨＭＩ部５を介して制御部１に接続された表示器（警報装置）、８は制御部１に接続されたＥＴＣシステム用のＩＣカードリーダ８である。
【００１８】
そして、ＨＭＩ部５は、路側機との通信内容を図示しないスピーカ６や表示器７等の警報装置を介して利用者に通知すると共に、路側機との通信内容をＩＣカードリーダ８に挿入されたＩＣカード（図示せず）にも記録させるようになっている。
【００１９】
更に、車両には、料金所端末との間で料金自動収受のための通信を行う通信装置９が搭載されている。この通信装置９は、制御部１に接続された通信部９ａと、通信部９ａに接続されたアンテナ９ｂを有する。そして、制御部１は、ＩＣカードリーダ８で読み込まれたＩＣカードのデータに基づいて通信装置９を作動制御して、路側機である料金所端末１０との間で料金自動収受のための通信を行うようになっている。
【００２０】
また、制御部１には車速センサ１１がインターフェース１２を介して接続されている。
【００２１】
次に、このような構成のＥＴＣ用カード挿入忘れ警報装置の作用を図２に示したフローチャートに基づいて説明する。
【００２２】
車両が高速道路の料金所入口に進入すると、料金所端末（路側機）１０からのデータ要求信号が無線通信により通信装置９に入力され、この通信装置９に入力されたデータ要求信号は制御部１に入力される。
【００２３】
一方、制御部１は、データ要求信号に基づく要求内容をＨＭＩ部５を介して表示器７に表示すると共に、ＩＣカードリーダ８で挿入されているＩＣカードのデータ（利用者のＩＤ、車両番号等）を通信装置９を介して料金所端末（路側機）１０に送信する。そして、制御部１は、この様なデータの送受信内容をＩＣカードリーダ８で挿入されているＩＣカードに記録する。
【００２４】
このようにして高速道路の入口を通過して高速道路に入り、途中のサービスエリアで休憩等のために駐車した後、車両を再度発進させるために、図示しないエンジンキーを操作する。
【００２５】
このエンジンキーの操作により、キースイッチがオフ状態からアクセサリ（ＡＣＣ）に操作されると、キースイッチのステップＳ１でＡＣＣスイッチ３がオンしてＡＣＣ電源４から制御部１に電力が供給される。これに伴い、車速センサ１１からの車速信号がインターフェース１２を介して制御部１に入力される。
【００２６】
そして、制御部１は、ＡＣＣ電源４から電力が供給されると、記憶部２に記憶された制御プログラムを読み込んで制御動作を開始し、ステップＳ２でＩＣカードリーダ８にＩＣカードが挿入されているか否かを判断する。この判断は、ＩＣカードリーダー８を作動制御させて、ＩＣカードリーダー８がＩＣカードを検出してデータを読みとるか否かで行う。この判断において、ＩＣカードリーダ８にＩＣカードが挿入されている場合には終了し、ＩＣカードリーダ８にＩＣカードが挿入されていない場合にはステップＳ３に移行する。
【００２７】
このステップＳ３において制御部１は、インターフェース１２を介して入力される車速センサ１１からの車速信号を入手し、ステップＳ４に移行する。
【００２８】
ステップＳ４において制御部１は、入手した車速信号から車速が８０ｋｍ／ｈ以上であるか否かを判断し、車速が８０ｋｍ／ｈ以上でなければステップＳ３に戻ってループし、車速が８０ｋｍ／ｈ以上であればステップＳ５に移行する。
【００２９】
このステップＳ５において制御部１は、内部の図示しないタイマーを動作させて時間のカウントを開始し、カウント開始から所定時間（例えば、３０秒）が過ぎると、ステップＳ６に移行する。ここで、タイマーは、制御部１に内蔵のものを用いたが、外部のタイマーでも良い。また、所定時間としては、３０秒に限るものではなく、３０秒以下でも良いし、３０秒以上でも良い。
【００３０】
ステップＳ６において制御部１は、車速センサ１１からの車速信号が８０ｋｍ／ｈ以上であるか否かを判断し、８０ｋｍ／ｈ以上でなければステップＳ４に戻ってループし、車速が８０ｋｍ／ｈ以上であればステップＳ７に移行する。
【００３１】
このステップＳ７において制御部１は、ＩＣカードリーダ８にＩＣカードが挿入されているか否かを判断する。この判断において、ＩＣカードリーダ８にＩＣカードが挿入されている場合には終了し、ＩＣカードリーダ８にＩＣカードが挿入されていない場合にはステップＳ８に移行する。
【００３２】
このステップＳ８において制御部１は、ＨＭＩ部５を介してスピーカ６からＩＣカード挿入忘れであることを警告すると共に、表示部７にＩＣカード挿入忘れを表示させて、車両が高速道路を走行していることをドライバーに警告して終了する。
【００３３】
以上説明したように、この発明の実施の形態のＥＴＣ用カード挿入忘れ警報装置は、車両に搭載されたＥＴＣステム用のＩＣカードリーダー８と、前記車両に搭載されて前記ＩＣカードリーダー８で読み込まれたＩＣカードのデータに基づいて料金所端末との間で料金自動収受のための通信を行う通信装置９と、アクセサリがＯＮさせられたとき前記車両の走行速度を検出して車速信号を出力する車速センサ１１と、前記ＩＣカードリーダー８への前記ＩＣカード挿入忘れの警報を出力する警報装置（スピーカ６，表示器７）を有する。また、ＥＴＣ用カード挿入忘れ警報装置は、前記アクセサリがＯＮさせられた後に前記ＩＣカードリーダー８が前記ＩＣカードを検出していないときに、前記車速センサ１１からの車速信号が所定速度以上であるか否かを判断して、所定速度以上の状態が所定時間継続した後にも前記ＩＣカードリーダー８が前記ＩＣカードを検出していない場合、前記警報装置（スピーカ６又は表示器７）によりＩＣカード挿入忘れの警報を行わせる制御部１を有する。尚、所定車速とは高速道路等で所定時間連続して発生する車速を意味する。
【００３４】
この構成によれば制御部１は、前記アクセサリがＯＮさせられた後に前記ＩＣカードリーダー８が前記ＩＣカードを検出していないときに、前記車速センサ１１からの車速信号が所定速度以上であるか否かを判断する。
【００３５】
そして、制御部１は、所定速度以上の状態が所定時間継続した後にも前記ＩＣカードリーダー８が前記ＩＣカードを検出していない場合、前記警報装置（スピーカ６又は表示器７）によりＩＣカード挿入忘れの警報を行わせる。
【００３６】
従って、入口料金所を通過したことを示す入口通過情報を記憶するメモリ等の記憶部を設けなくても、サービスエリア等で駐車のためにエンジンキーをオフすると共に、ＥＴＣ用のＩＣカードをＩＣカードリーダー８から抜いた後に、再び乗車したときにＥＴＣ用のＩＣカードをＩＣカードリーダー８に挿入し忘れても、高速道路において出口に達する前にＥＴＣ用のＩＣカード挿入忘れを警告できる。従って、高速道路上でのＩＣカード挿入忘れの警報を行うことで、高速道路の出口料金所での通過を容易にすることができる。
【００３７】
また、入口料金所を通過したことを示す入口通過情報を記憶するメモリ等の記憶部を設けなくても、高速道路においてＥＴＣ用のＩＣカード挿入忘れを警告できるので、バッテリに負荷がかかるような記憶部が必要がない。
【００３８】
更に、この発明の実施の形態によれば、前記所定車速は約８０ｋｍ／ｈとしている。この所定車速としては、約８０ｋｍ／ｈが考えられるが、８０ｋｍ／ｈに近い値、例えば７５ｋｍ／ｈ又は８５ｋｍ／ｈでも良い。要は、高速道路での走行であることが分かるような速度であれば約８０ｋｍ／ｈに限定されるものではない。
【００３９】
この約８０ｋｍ／ｈ以上の車速は高速道路以外では連続して発生しない速度であるので、約８０ｋｍ／ｈ以上の車速が所定時間連続している場合には高速道路における高速走行をしている可能性が高いと判断できる。
【００４０】
従って、この構成によれば、約８０ｋｍ／ｈ以上の車速が所定時間連続していれば、高速道路での走行であることを確実に判断できる。
【図面の簡単な説明】
【００４１】
【図１】図１はこの発明にかかるＥＴＣ用カード挿入忘れ警報装置の制御回路図である。
【図２】図２は図１の制御部によるフローチャートである。
【符号の説明】
【００４２】
１…制御部
６…スピーカ（警報装置）
７…表示器（警報装置）
８…ＩＣカードリーダー
９…通信装置
１０…料金所端末（路側機）
【図１】
2005085096.tif 000003
【図２】
2005085096.tif 000004
【手続補正書】
【提出日】平成15年9月12日(2003.9.12)
【手続補正１】
【補正対象書類名】特許請求の範囲
【補正対象項目名】請求項１
【補正方法】変更
【補正の内容】
【請求項１】
車両に搭載されたＥＴＣシステム用のＩＣカードリーダーと、
前記車両に搭載されて前記ＩＣカードリーダーで読み込まれたＩＣカードのデータに基づいて料金所端末との間で料金自動収受のための通信を行う通信装置と、
アクセサリがＯＮさせられたとき前記車両の走行速度を検出して車速信号を出力する車速センサと、
前記ＩＣカードリーダーへの前記ＩＣカード挿入忘れの警報を出力する警報装置と、
前記アクセサリがＯＮさせられた後に前記ＩＣカードリーダーが前記ＩＣカードを検出していないときに、前記車速センサからの車速信号が所定車速以上であるか否かを判断して、所定車速以上の状態が所定時間継続した後にも前記ＩＣカードリーダーが前記ＩＣカードを検出していない場合、前記警報装置によりＩＣカード挿入忘れの警報を行わせる制御部を有することを特徴とするＥＴＣ用カード挿入忘れ警報装置。
【手続補正２】
【補正対象書類名】明細書
【補正対象項目名】０００１
【補正方法】変更
【補正の内容】
【０００１】
この発明は、車両に搭載されたＥＴＣシステム用のＩＣカードリーダーへのＩＣカード挿入忘れを警報するＥＴＣ用カード挿入忘れ警報装置に関するものである。
【手続補正３】
【補正対象書類名】明細書
【補正対象項目名】０００８
【補正方法】変更
【補正の内容】
【０００８】
この目的を達成するため、この発明は、車両に搭載されたＥＴＣシステム用のＩＣカードリーダーと、前記車両に搭載されて前記ＩＣカードリーダーで読み込まれたＩＣカードのデータに基づいて料金所端末との間で料金自動収受のための通信を行う通信装置と、アクセサリがＯＮさせられたとき前記車両の走行速度を検出して車速信号を出力する車速センサと、前記ＩＣカードリーダーへの前記ＩＣカード挿入忘れの警報を出力する警報装置と、前記アクセサリがＯＮさせられた後に前記ＩＣカードリーダーが前記ＩＣカードを検出していないときに、前記車速センサからの車速信号が所定車速以上であるか否かを判断して、所定車速以上の状態が所定時間継続した後にも前記ＩＣカードリーダーが前記ＩＣカードを検出していない場合、前記警報装置によりＩＣカード挿入忘れの警報を行わせる制御部を有するＥＴＣ用カード挿入忘れ警報装置としたことを特徴とする。
【手続補正４】
【補正対象書類名】明細書
【補正対象項目名】００３３
【補正方法】変更
【補正の内容】
【００３３】
以上説明したように、この発明の実施の形態のＥＴＣ用カード挿入忘れ警報装置は、車両に搭載されたＥＴＣシステム用のＩＣカードリーダー８と、前記車両に搭載されて前記ＩＣカードリーダー８で読み込まれたＩＣカードのデータに基づいて料金所端末との間で料金自動収受のための通信を行う通信装置９と、アクセサリがＯＮさせられたとき前記車両の走行速度を検出して車速信号を出力する車速センサ１１と、前記ＩＣカードリーダー８への前記ＩＣカード挿入忘れの警報を出力する警報装置（スピーカ６，表示器７）を有する。また、ＥＴＣ用カード挿入忘れ警報装置は、前記アクセサリがＯＮさせられた後に前記ＩＣカードリーダー８が前記ＩＣカードを検出していないときに、前記車速センサ１１からの車速信号が所定速度以上であるか否かを判断して、所定速度以上の状態が所定時間継続した後にも前記ＩＣカードリーダー８が前記ＩＣカードを検出していない場合、前記警報装置（スピーカ６又は表示器７）によりＩＣカード挿入忘れの警報を行わせる制御部１を有する。尚、所定車速とは高速道路等で所定時間連続して発生する車速を意味する。